(57)【要約】【課題】  効率良く施工することができ、低コストで意匠性に優れた階段を提供する。【解決手段】  梁６に固定した状態で梁６の外側に形成されたボルト固定面２３から係止片２５が突設された梁固定プレート２と、押出成形されたアルミニウム製の長尺の中空柱材３０の両端に、床取付プレート３１および二階取付プレート３２が設けられ、二階取付プレート３２に係止穴３２ｇが穿孔された一本の主材３と、主材３の中空柱材３０上に当接される当接面４１と段板５が固定される段板受面４２とが設けられ、中空柱材３０上に所定間隔毎に固定されるアルミニウム製の段板受け４と、段板受け４の段板受面４２に固定される段板５とを具備し、梁固定プレート２の係止片２５に、主材３の二階取付プレート３２の係止穴３２ｇが係止された状態で、床取付プレート３１が床板７上に固定され、二階取付プレート３２が梁固定プレート２のボルト固定面２３に固定された階段１である。【選択図】  図１
2005320775.tif 000002
【特許請求の範囲】
【請求項１】
ボルト固定することによって梁に固定するようになされるとともに、この固定状態で梁外にボルト固定面が形成され、このボルト固定面から係止片が突設されてなる梁固定プレートと、
押出成形されたアルミニウム製の長尺の中空柱材の両端に、床取付プレートおよび二階取付プレートが設けられ、二階取付プレートに係止穴が穿孔されてなる一本の主材と、
この主材の中空柱材上に当接される当接面と段板が固定される段板受面とが設けられ、中空柱材上に所定間隔毎に固定するようになされたアルミニウム製の段板受けと、
段板受けの段板受面に固定される段板とを具備し、
梁に固定された梁固定プレートの係止片に、主材の二階取付プレートに形成された係止穴が係止された状態で、床取付プレートが床板上に固定され、二階取付プレートが梁固定プレートのボルト固定面に固定されることを特徴とする階段。
【請求項２】
主材は、押出成形されたアルミニウム製の中空柱材と、
中空柱材の床側端部内へ挿入可能となされた挿入部がプレート板に立設一体化されてなり、この挿入部が中空柱材の床側端部に挿入された状態で中空柱材の外側からボルト固定するようになされた床取付プレートと、
中空柱材の二階側端部内へ挿入可能となされた挿入部が、係止片が係止可能となされた係止穴を有するプレート板に立設一体化されてなり、この挿入部が中空柱材の二階側端部に挿入された状態で中空柱材の外側からボルト固定するようになされた二階取付プレートとからなる請求項１記載の階段。
【請求項３】
段板受けは、主材上に当接される当接面と、段板が固定される段板受面とを有する中空筒状に形成され、段板受面の背面投影面に、段板を固定する際のボルト挿通穴が露出するように段板受けの両端部がテーパ状に形成され、段板受けへの段板のボルト固定が容易に行えるようになされた請求項１または２記載の階段。
【発明の詳細な説明】
【技術分野】
【０００１】
本発明は、住宅建物内に設置される階段に関するものである。
【背景技術】
【０００２】
従来より、住宅建物内に設置される階段としては、鉄骨製、木製のものなどがある。
【０００３】
このうち、鉄骨製の階段の場合、重量物であるため、躯体の施工時に鉄骨梁や鉄骨柱と一緒に先に鉄骨製の階段フレームを施工しておき、後の内装工事の際に、この階段フレームに段板を設けたり、仕上げ材を設けたりして施工完了するようになされていた。
【０００４】
また、木製の階段の場合は、階段自体が木製であって、鉄骨階段のように表面に仕上げ材を設けなくても良いので、内装工事の際に一挙に階段を施工完了させることが行われていた。
【０００５】
さらに、近頃では、一対の側桁部材間に複数の段板部材を固定するようになされたアルミニウムを用いた組み立て式の階段なども提案されている。
【特許文献１】特開２００２−１５５６０８号公報
【発明の開示】
【発明が解決しようとする課題】
【０００６】
しかし、上記従来の鉄骨階段の場合、重量物であるため、躯体の鉄骨梁や鉄骨柱をクレーンなどで搬入する際に、同時にこの階段フレームを設ける作業を行い、その後、内装作業時に仕上げ作業を行わなければならず、施工作業が煩わしくなってしまう。また、この内装作業時には階段フレームに貼設した段板の養生なども行わなければならず、効率の良い施工を行うことができない。また、鉄骨製であるため、材料コスト、ハンドリングコストが嵩むとともに、手作り要素も多く、量産や納期の短縮化が難しい。
【０００７】
また、木製の階段の場合、鉄骨製の階段と比較して充分な強度を確保することが困難になるので、一本の主材に複数の段板を設けたシースルー階段などのようにシンプルなデザインの階段を構成することが難しく、階段のデザインが限定されてしまうといった不都合を生じる。また、内装工事の際にビス止めや釘打ちする箇所が多くなり、施工コストも嵩むこととなる。
【０００８】
さらに、上記従来のアルミニウム製の組み立て式階段の場合、一対の側桁部材間に複数の段板部材をそれぞれボルト止めしなければならないので、組み立てが煩わしく施工工数が嵩むこととなってしまう。また、段板自体がアルミニウム製であるため、充分な質感が得られず、住宅建物の階段に使用した場合、安っぽくなってしまう。
【０００９】
本発明は係る実情に鑑みてなされたものであって、効率良く施工することができ、低コストで意匠性に優れた階段を提供することを目的としている。
【課題を解決するための手段】
【００１０】
上記課題を解決するための本発明の階段は、ボルト固定することによって梁に固定するようになされるとともに、この固定状態で梁外にボルト固定面が形成され、このボルト固定面から係止片が突設されてなる梁固定プレートと、押出成形されたアルミニウム製の長尺の中空柱材の両端に、床取付プレートおよび二階取付プレートが設けられ、二階取付プレートに係止穴が穿孔されてなる一本の主材と、この主材の中空柱材上に当接される当接面と段板が固定される段板受面とが設けられ、中空柱材上に所定間隔毎に固定するようになされたアルミニウム製の段板受けと、段板受けの段板受面に固定される段板とを具備し、梁に固定された梁固定プレートの係止片に、主材の二階取付プレートに形成された係止穴が係止された状態で、床取付プレートが床板上に固定され、二階取付プレートが梁固定プレートのボルト固定面に固定されるものである。
【００１１】
また、主材は、押出成形されたアルミニウム製の中空柱材と、中空柱材の床側端部内へ挿入可能となされた挿入部がプレート板に立設一体化されてなり、この挿入部が中空柱材の床側端部に挿入された状態で中空柱材の外側からボルト固定するようになされた床取付プレートと、中空柱材の二階側端部内へ挿入可能となされた挿入部が、係止片が係止可能となされた係止穴を有するプレート板に立設一体化されてなり、この挿入部が中空柱材の二階側端部に挿入された状態で中空柱材の外側からボルト固定するようになされた二階取付プレートとからなるものであってもよい。
【００１２】
さらに、段板受けは、主材上に当接される当接面と、段板が固定される段板受面とを有する中空筒状に形成され、段板受面の背面投影面に、段板を固定する際のボルト挿通穴が露出するように段板受けの両端部がテーパ状に形成され、段板受けへの段板のボルト固定が容易に行えるようになされたものであってもよい。
【発明の効果】
【００１３】
以上述べたように、本発明によれば、階段の主材は、アルミニウム製の中空柱材を用いることによって軽量に形成されていることから、躯体の施工時に鉄骨梁などと一緒に取り扱うこと無く、内装工事の際に内装大工だけで容易に施工することができる。
【００１４】
また、施工作業は、主材の二階取付プレートに形成された係止穴を、梁に固定した梁固定プレートの係止片に係止させた状態で、床取付プレートを床板上に固定し、二階取付プレートを梁固定プレートのボルト固定面に固定するといった簡単な作業によって施工することができる。
【００１５】
この場合、段板は、現場において、主材を施工した後に主材の中空柱材上に段板受けを設け、この段板受けにビス固定するものであってもよいし、あらかじめ工場で、主材の中空柱材上に段板受けおよび段板を固定した状態としてから出荷し、現場ではこれら段板受けおよび段板を固定した主材を取り付けるだけの作業とするものであってもよい。
【００１６】
特に工場で、主材の中空柱材上に段板受けおよび段板を固定した状態としてから出荷する場合、工場で段板の養生期間を終えることができるので養生不足による施工不良も防止できる。すなわち、段板は段板受けに固定する際、接着剤を介してボルト固定またはビス固定するのが常であり、床鳴りなどの発生を防止するために接着剤が充分に硬化するまでの養生期間は、段板上に載らないようにしなければならない。しかし、現場で段板を養生させると、段板上に載ってしまったり、階段を利用しがちになり易いが、工場で段板を固定して養生期間を終えてから出荷することで養生不足による施工不良を防止できる。
【００１７】
さらに、この階段は、段板受けや段板を固定した一本の主材の両端をボルト止めしているだけなので、ビス固定やボルト止め点数をできるだけ減らして簡単かつ迅速な組み立て作業を可能にすることができる。
【００１８】
さらに、主材は、押出成形されたアルミニウム製の中空柱材を用いているので、量産が可能で、かつ、安価に製造することができる。
【発明を実施するための最良の形態】
【００１９】
以下、本発明の実施の形態を図面を参照して説明する。
【００２０】
図１ないし図３は階段１の全体構成の概略を示している。
【００２１】
すなわち、この階段１は、梁固定プレート２と、主材３と、段板受け４と、段板５とを具備して構成されている。
【００２２】
梁固定プレート２は、図４および図５に示すように、梁６の下フランジ６１とウェブ６０と上フランジ６２とに沿った略Ｕ字に形成され、このウェブ６０と上下フランジ６１、６２とによって形成される空間に嵌挿可能となされた溝形材２１に、補強板２２とボルト固定面２３とを溶接固定して構成されている。補強板２２は、溝形材２１の長手方向に沿った溝部内の中央部に、溝部を仕切るように配されて溝形材２１に溶接固定される。ボルト固定面２３は、溝形材２１の立ち上がり片２１ａ、２１ｂ間を閉塞する板状に形成され、この立ち上がり片２１ａ、２１ｂ間および補強板２２の端辺に溶接固定される。ボルト固定面２２の四隅には、ボルトＢを螺合するためのナット２４が溶接固定されるとともに、このボルト固定面２２の中央下部には、先端が上方に屈曲した係止片２５が突設されている。溝形材２１の立ち上がり片２１ａ、２１ｂには、それぞれ梁６の下フランジ６１と上フランジ６２とに穿孔されたボルト挿通穴６３と合致するようにボルト挿通穴２０が穿孔されている。
【００２３】
この梁固定プレート２は、梁６のウェブ６０と上下フランジ６１、６２とによって形成される空間に嵌挿した後、梁６に穿孔されたボルト挿通穴６３と溝形材２１の立ち上がり片２１ａ、２１ｂに穿孔されたボルト挿通穴２０とを合致させて梁６の外側からボルト６４を挿通し、立ち上がり片２１ａ、２１ｂの内側に設けたナット（図示省略）に螺合することによって梁６に固定される。この際、ナット（図示省略）は、手で支持しながらボルト６４を螺合してもよいし、あらかじめ立ち上がり片２１ａ、２１ｂのボルト挿通穴２０の内側に溶着しておいてもよいし、ナット（図示省略）を用いなくても良いように、立ち上がり片２１ａ、２１ｂに穿孔されたボルト挿通穴２０をボルト６４に螺合可能なネジ穴としておいてもよい。この梁固定プレート２としては、鉄製またはアルミニウム製のものを用いることができる。この梁固定プレート２は現場で固定してもよいし、あらかじめ工場で梁６に溶接固定しておいてもよい。
【００２４】
この梁固定プレート２の固定後、図５（ｂ）に示すように、梁６の表面に内装工事で仕上げ材６５やクロス６６が被覆されるが、少なくともナット２４と係止片２５とが露出するように仕上げられる。
【００２５】
主材３は、図６に示すように、押出成形されたアルミニウム製の中空柱材３０の両端に、床取付プレート３１および二階取付プレート３２をそれぞれボルト３３で固定して構成されている。
【００２６】
中空柱材３０は、上辺幅約１１０ｍｍ、下辺幅約６０ｍｍ、高さ約２００ｍｍで、両側辺が湾曲した略台形状の断面形状で約４ｍの長尺に形成され、その両端は、それぞれ床取付プレート３１および二階取付プレート３２を固定するためにテーパ状に切除されて床取付プレート接続面３０ａと二階取付プレート接続面３０ｂとが形成されている。床取付プレート接続面３０ａの近傍の上面と下面には、中空柱材３０と床取付プレート３１とをボルト固定するためのボルト挿通穴３０ｃが設けられている。また、二階取付プレート接続面３０ｂの近傍の両側面には、中空柱材３０と二階付プレート３２とをボルト固定するためのボルト挿通穴３０ｄが設けられている。さらに、中空柱材３０の上面には、長手方向全体にわたって等間隔で、段板受け４をボルト固定するためのネジ穴３０ｅが設けられている。
【００２７】
床取付プレート３１は、図７に示すように、床面７に当接されるプレート板３１ａから一対の挿入片３１ｂ、３１ｃとこれら挿入片３１ｂ、３１ｃ間を接続して補強する補強片３１ｄとが突設されてアルミニウムで形成されている。プレート板３１ａには、床取付プレート３１を床面７にネジ固定するためのネジ挿通穴３１ｅが形成されている。挿入片３１ｂ、３１ｃ、補強片３１ｄは、プレート板３１ａに対して斜めに突設されており、プレート板３１ａに中空柱材３０の床取付プレート接続面３０ａを当接した状態で、挿入片３１ｂ、３１ｃのそれぞれが、中空柱材３０の上辺および下辺の内側に挿入されるようになされている。この挿入片３１ｂ、３１ｃにはそれぞれ雌ネジが螺刻されたネジ穴３１ｆが設けられている。
【００２８】
この床取付プレート３１は、プレート板３１ａを中空柱材３０の床取付プレート接続面３０ａに当接してこの中空柱材３０の上辺および下辺の内側に挿入片３１ｂ、３１ｃを挿入させた状態で、中空柱材３０のボルト挿通穴３０ｃの外側から中空柱材３０の内側の挿入片３１ｂ、３１ｃのネジ穴３１ｆにボルト３３を螺合することによって中空柱材３０に固定される。
【００２９】
二階取付プレート３２は、図８に示すように、梁固定プレート２のボルト固定面２３に当接されるプレート板３２ａから一対の挿入片３２ｂ、３２ｃとこれら挿入片３２ｂ、３２ｃ間を接続して補強する補強片３２ｄとが突設されてアルミニウムで形成されている。プレート板３２ａには、二階取付プレート３２をボルト固定面２３のナット２４にボルト固定するためのボルト挿通穴３２ｅが形成されている。挿入片３２ｂ、３２ｃ、補強片３２ｄは、プレート板３１ａに対して斜めに突設されており、プレート板３２ａに中空柱材３０の二階取付プレート接続面３０ｂを当接した状態で、挿入片３２ｂ、３２ｃのそれぞれが、中空柱材３０の両側面の内側に挿入されるようになされている。この挿入片３２ｂ、３２ｃにはそれぞれ雌ネジが螺刻されたネジ穴３２ｆが設けられている。また、プレート板３２ａには、梁固定プレート２のボルト固定面２３から突設された係止片２５に係止可能な係止穴３２ｇが設けられている。主材３は、図５（ｂ）に示すように、梁６に固定された梁固定プレート２の係止片２５にこの係止穴３２ｇを係止させることで、この主材３の床取付プレート３１および二階取付プレート３２を固定するまでの間仮置き状態にしておくことができるようになされている。
【００３０】
この二階取付プレート３２は、プレート板３２ａを中空柱材３０の二階取付プレート接続面３０ｂに当接してこの中空柱材３０の上辺および下辺の内側に挿入片３２ｂ、３２ｃを挿入させた状態で、中空柱材３０のボルト挿通穴３０ｄの外側から中空柱材３０の内側の挿入片３２ｂ、３２ｃのネジ穴３２ｆにボルト３３を螺合することによって中空柱材３０に固定される。
【００３１】
段板受け４は、図９に示すように、幅約１００ｍｍの当接面４１と、幅約１５０ｍｍの段板受け面４２と、残りの湾曲された湾曲面４３とによって断面略三角形状で約５２０ｍｍの長さの筒状のアルミニウム製の押出成形材で形成されている。段板受け４の両端は、段板受け面４２からこの段板受け面４２に対向する角部に向かって約３２５ｍｍの幅に縮小するようにテーパ状に切除されたテーパ面４４を形成するようになされている。
【００３２】
当接面４１の中央部近傍には、この当接面４１が当接される中空柱材３０のネジ穴３０ｅと対応する４つのボルト挿通穴４１ａが形成されている。
【００３３】
段板受け面４２は、このボルト挿通穴４２ａの位置に対応する中央部に、４つの治具挿入口４２ａが形成されている。段板受け４は、図１０に示すように、この治具挿入口４２ａからドライバーや六角レンチなどの治具を挿入して当接面４１のボルト穴４１ａから挿通したボルト４０を中空柱材３０のネジ穴３０ｅに螺合することによって中空柱材３０に固定される。また、段板受け面４２の両端部近傍には、この段板受け面４２に当接した段板５をボルト固定するためのボルト挿通穴４２ｂが形成されている。また、このボルト穴４２ｂの両側には、それぞれ蓋固定部材４５をボルト固定するためのビス挿通穴４２ｃが設けられている。
【００３４】
この蓋固定部材４５は、図１１に示すように、平行する一対の係止片４５ａ、４５ｂを有し、一方の係止片４５ａに対して他方の係止片４５ｂが短く形成された断面略変形コ字状に形成されている。この蓋固定部材４５は、長い方の係止片４５ａを段板受け面４２の裏側に当接した状態でビス挿通穴４２ｂから挿通したビス４５ｃによって、段板受け面４２の裏面に固定される。この蓋固定部材４５によって固定される蓋４６は、段板受け４のテーパ面４４に合致する形状の板材４６ａから、蓋固定材４５の係止片４５ａ、４５ｂに対応した係止片４６ｂ、４６ｃが突設されて構成されている。この蓋４６は、板材４６ａの部分を段板受け４のテーパ面４４に合致させるようにして、係止片４６ｂ、４６ｃを、蓋固定部材４５の係止片４５ａ、４５ｂに係合させることで固定される。
【００３５】
段板５は、図１２に示すように、幅約８５０ｍｍ、奥行き約２４０ｍｍ、厚さ約３６ｍｍの木製板からなり、この段板５が当接される段板受け４の段板受け面４２に形成されたボルト挿通穴４２ｂと対応する位置にボルト挿通穴５ａが形成されている。このボルト穴５ａは、段板５の表面に段板固定ボルト５１の頭５１ａが納まる段部が形成されており、この段板固定ボルト５１を固定した状態で、段部内に段板固定ボルト５１のボルト頭５１ａが納まって段板５の表面が平滑となるように構成されている。そのため、この段板固定ボルト５１は、頭５１ａの部分が平滑に形成されており、先端部に六角レンチ（図示省略）で螺合できるようになされた六角穴５１ｂが形成されている。したがって、この段板固定ボルト５１は、段板受け４の段板受け面４２に段板５を当接した状態で、段板５の表面側から、ボルト穴５ａと、段板受け面４２のボルト挿通穴４２ｂとに挿通され、この段板受け面４２の裏面側に設けたナット５２に螺合される。この際、螺合は、図１３に示すように、段板受け面４２の裏面側の段板受け４のテーパ面４４の部分からスパナや六角レンチ（図示省略）を使って行われる。この際、段板受け面４２の裏面側からの螺合作業になるが、テーパ面４４によってボルト挿通穴４２ｂが完全に露出するようになされているので、段板受け４と干渉することも無く容易に螺合することができる。
【００３６】
また、段板５の裏面側には、長手方向に沿って幅約５ｍｍ、深さ約１０ｍｍの溝部５ｂが形成されている。この溝部５ｂは、必要に応じて階段１に蹴込み板５３を設ける場合にこの溝部５ｂに差し込むことによって設けることができるようになされている。この蹴込み板５３は、図１４に示すように、二段の段板５、５間に蹴込み板５３を斜めに傾けて挿入し、蹴込み板５３の上辺に形成された差し込み片５３ａの部分を、上段の段板５の溝部５ｂに挿入するようにしてこの蹴込み板５３を起こした後、蹴込み板５３の下端部に穿孔されたビス挿通穴５３ｂからビス５４を挿通して下段の段板５の後端面に固定して取り付けられる。
【００３７】
さらに、段板５の幅方向に沿った一方の端部には、手摺り８を取り付けるためのボルト挿通穴５ｃが形成されている。
【００３８】
手摺り８は、笠木８１を支持する各脚部材８２の基端部を、各段板５のボルト穴５ｃの裏面側から挿通されるボルト（図示省略）で固定して取り付けられる。なお、この手摺り８の構成としては特に限定されるものではなく、一般に階段１の手摺りとして使用されているものであれば、他のものを使用することができる。また、本実施の形態では、段板５の一方の端部に手摺り８を取り付けるようになされているが、他方の端部側に手摺り８を取り付けるようになされたものであってもよいし、両方の端部に手摺り８を取り付けるようになされたものであってもよい。
【００３９】
次に、このようにして構成される階段１の施工方法について説明する。
【００４０】
まず、図５（ａ）に示すように、内装工事初期の梁６がまだ露出している段階で、梁６に梁固定プレート２を固定しておき、その後、図５（ｂ）に示すように、この梁固定プレート２の少なくともナット２４および係止片２５または、多くてもボルト固定面２３全体が露出した状態で、梁６の周辺の仕上げ材６５やクロス６６などを貼設して内装工事を完了させてしまう。床面７についてもフローリングを敷設して内装工事を完了させてしまう。
【００４１】
次いで、図５（ｃ）に示すように、主材３の二階取付プレート３２の係止穴３２ｆを、梁固定プレート２のボルト固定面２２から突設された係止片２５に係止して床面と二階梁６との間に主材３を仮置き状態にする。
【００４２】
この仮置き状態で、床取付プレート３１のネジ挿通穴３１ｅからネジ３４を挿通して床取付プレート３１を床面７に固定するとともに、二階取付プレート３２のボルト挿通穴３２ｅからボルト３５を挿通して二階取付プレート３２を梁固定プレート２のナット２４に螺合固定することで、床面７と二階梁６との間に主材３を固定する。
【００４３】
この際、主材３はアルミニウム製で、しかもその大半を占める中空柱材３０は押出成形の中空材からなる軽量部材であるため、内装大工二人で容易に仮置きして固定することができる。なお、主材３は、中空柱材３０と床取付プレート３１と二階取付プレート３２とを現場でそれぞれボルト固定して一体化するものであってもよいし、既に一体化されたものを現場に搬入するようにしてもよい。現場で一体化する主材３の場合、嵩張ることなく搬入することができ、既に一体化された主材３の場合、現場での作業工数を削減することができる。また、既に一体化された主材３の場合、中空柱材３０と床取付プレート３１と二階取付プレート３２とは、ボルト固定によって一体化するものに限定されるものではなく、中空柱材３０の両端部に床取付プレート３１と二階取付プレート３２とを溶接などで一体化させたものであってもよい。
【００４４】
次いで、主材３の中空柱材３０の上面の各ネジ穴３０ｅに、段板受け４の当接面４１を当接して当接面４１のボルト挿通穴４１ａから挿通したボルト３６をネジ穴３０ｅに螺合することによって中空柱材３０に段板受け４を固定する。
【００４５】
この際も各段板受け４は、現場で主材３に対して固定するものであってもよいし、既に工場で主材３に対して各段板受け４を固定したものを現場に搬入するようにしてもよい。現場で各段板受け４を固定する場合、嵩張ることなく搬入することができ、既に各段板受け４を固定した主材３の場合、現場での作業工数を削減することができる。また、既に各段板受け４を固定した主材３の場合、各段板受け４と中空柱材３０とは、ボルト固定によって一体化するものに限定されるものではなく、各段板受け４を中空柱材３０に溶接などで一体化させたものであってもよい。
【００４６】
そして、各段板受け４の段板受け面４２に接着剤（図示省略）を介して段板５を貼設し、段板５の表面側から、ボルト穴５ａと、段板受け面４２のボルト挿通穴４２ｂとに段板固定ボルト５１を挿通し、この段板固定ボルト５１を段板受け面４２の裏面側に設けたナット５２に螺合して段板受け４に段板５を固定する。段板５は、接着剤（図示省略）が完全に硬化するまでの養生期間を２〜３日取り、その間に段板５上を昇り降りしないようにして固定を完了する。
【００４７】
この際も各段板５は、現場で各段板受け４に固定するものであってもよいし、既に工場で主材３に段板受け４を介して段板５を固定したものを現場に搬入するようにしてもよい。現場で各段板５を固定する場合、嵩張ることなく搬入することができ、既に段板受け４を介して主材３に固定した段板５の場合、現場での作業工数を削減することができるのみならず、工場で養生期間を経てから現場に搬入することができ、施工不良の発生を防止することができる。
【００４８】
その後、各段板受け４に蓋４６を設け、各段板５に手摺り８を取り付けて階段１の施工が完了する。
【００４９】
このように、この階段１の場合、主材３および段板受け４がアルミニウム製で、なおかつ主材３の中空柱材３０と段板受け４は中空押出成形によって軽量に形成されていることから、躯体の施工時に鉄骨梁などと一緒に取り扱うこと無く、内装工事の際に内装大工が２人程いれば容易に施工することができる。
【００５０】
また、施工作業の際、最も重い主材３は、主材３の二階取付プレート３２に形成された係止穴３２ｇを、梁６に固定した梁固定プレート２の係止片２５に係止させて仮置き状態にすることができるので、固定するまで主材３を保持しておく必要が無い。また、この仮置き状態のまま簡単に主材３を梁６や床面７に固定することができる。
【００５１】
さらに、主材３、段板受け４が軽量であるため、あらかじめ主材３に段板受けや段板５を一体にして取り扱うことができる。したがって、現場での施工の簡略化を図ったり、段板５の養生期間を無くすことができる。
【００５２】
さらに、この階段１は、一本の主材３に段板受け４や段板５を設けているだけなので、ビス固定やボルト固定の点数をできるだけ減らすことができ、簡単かつ迅速な組み立てを可能にすることができる。また、段板受け４の開口した両端のテーパ面４４に蓋４６を設けることによって、階段１の外観は主材３と段板受け４だけのシンプルな構成となるので、埃も溜まりにくく容易に葺き掃除などを行うこともできメンテナンス性にも優れる。
【００５３】
さらに、主材３と段板受け４は、押出成形品を用いているので、断面形状のデザインの変更などに容易に対応でき、量産が可能で、かつ、安価に製造することができる。また、アルミニウム製であるため、アルミサッシなどと容易に色調を合わせることができ、意匠性に優れた室内空間を構成することができる。
【００５４】
なお、本実施の形態において、階段１は、鉄骨の梁６に梁固定プレート２を設けるようになされた鉄骨住宅用のものについて述べているが、図１５に示すように、木製の梁６ａに梁固定プレート２ａを設けるようになされた木造住宅用のものであってもよい。
【００５５】
この場合、梁６ａには、あらかじめ梁固定プレート２ａを固定するためのボルト挿通孔６０ａを穿孔しておく。
【００５６】
梁固定プレート２ａは、梁６ａに当接可能な板状に形成されており、二階取付プレート３２と接する面側にナット２４が溶接固定されるとともに、係止片２５が突設されている。この梁固定プレート２ａは、梁６ａに当接した状態で、この梁６ａのボルト挿通孔６０ａに対応する位置には、二階取付プレート３２と接する面側にさら穴を有するさらもみネジ孔２６が設けられている。
【００５７】
この梁固定プレート２ａは、さらもみネジ穴２６のさら穴に相当するさら頭を有するボルト２７をさらもみネジ穴２６側から挿通し、梁６ａのボルト挿通穴６０ａに挿通されたボルト２７の先端部分にナット２８を螺合して梁６ａに固定される。その他は、鉄骨の梁６に梁固定プレート２を設ける場合と同様に施工される。ボルト２７のさら頭の部分には、六角レンチで螺合できるように六角の穴が設けられている。この穴についてはプラスドライバーまたはマイナスドライバーで螺合できるようになされたものであってもよい。
【００５８】
なお、図１５において、本実施の形態と対応する部材については同符号を付して説明を省略する。
【産業上の利用可能性】
【００５９】
住宅内の階段として利用できる。
【図面の簡単な説明】
【００６０】
【図１】本発明に係る階段を示す斜視図である。
【図２】本発明に係る階段を示す側面図である。
【図３】本発明に係る階段を示す正面図である。
【図４】（ａ）ないし（ｃ）は本発明に係る階段の梁固定プレートを示す正面図、平面図、側面図である。
【図５】（ａ）ないし（ｃ）は本発明に係る階段の梁への梁固定プレートの固定から主材の固定までの施工工程の概略を示す工程図である。
【図６】（ａ）ないし（ｄ）は本発明に係る階段の主材を示す平面図、側面図、背面図、I-I 線端面図である。
【図７】（ａ）は本発明に係る階段の床取付プレートを示す平面図、（ｂ）は同床取付プレートを有する主材を床面に固定した状態を示す断面図である。
【図８】（ａ）は本発明に係る階段の二階取付プレートを示す平面図、（ｂ）は同二階取付プレートを有する主材を梁に固定した状態を示す断面図である。
【図９】（ａ）ないし（ｅ）は本発明に係る階段の段板受けを示す正面図、平面図、背面図、側面図、II-II 線端面図である。
【図１０】（ａ）および（ｂ）は本発明に係る階段の主材に段板受けを固定する状態を示す斜視図および断面図である。
【図１１】本発明に係る階段の段板受けへの蓋の嵌合状態を示す断面とこの断面に対応して展開した段板受けのテーパ面と蓋とを示す図である。
【図１２】（ａ）ないし（ｃ）は本発明に係る階段の段板を示す平面図、III-III 線断面図、IV-IV 線断面図である。
【図１３】（ａ）および（ｂ）は本発明に係る階段の段板受けに段板固定する状態を示す斜視図および部分断面図である。
【図１４】（ａ）ないし（ｃ）は本発明に係る階段の蹴込み板を示す正面図とその施工状態を示す側面図および正面図である。
【図１５】（ａ）ないし（ｃ）は本発明に係る階段の木製梁への梁固定プレートの固定から主材の固定までの施工工程の概略を示す工程図である。
【符号の説明】
【００６１】
１  階段
２  梁固定プレート
２ａ  梁固定プレート
２３  ボルト固定面
２５  係止片
３  主材
３０  中空柱材
３１  床固定プレート
３１ａ  プレート板
３１ｂ  挿入片
３１ｃ  挿入片
３２  二階固定プレート
３２ａ  プレート板
３２ｂ  挿入片
３２ｃ  挿入片
３２ｇ  係止穴
３３  ボルト
４  段板受け
４１  当接面
４２  段板固受面
４２ｂ  ボルト挿通穴
５  段板
５１  段板固定ボルト
６  梁
６ａ  梁
６０  ウェブ
６１  下フランジ
６２  上フランジ
６４  ボルト
７  床面
【図１】
2005320775.tif 000003
【図２】
2005320775.tif 000004
【図３】
2005320775.tif 000005
【図４】
2005320775.tif 000006
【図５】
2005320775.tif 000007
【図６】
2005320775.tif 000008
【図７】
2005320775.tif 000009
【図８】
2005320775.tif 000010
【図９】
2005320775.tif 000011
【図１０】
2005320775.tif 000012
【図１１】
2005320775.tif 000013
【図１２】
2005320775.tif 000014
【図１３】
2005320775.tif 000015
【図１４】
2005320775.tif 000016
【図１５】
2005320775.tif 000017